(57)【特許請求の範囲】
【請求項１】
交流電力を発生する発電機と、
前記発電機の出力に同期したタイミングで該発電機の出力を低電圧系の第１のバッテリに振り分けて該第１のバッテリを充電する第１の充電系と、
前記発電機の出力に同期したタイミングであって前記第１のバッテリを充電するタイミングとは異なるタイミングで前記発電機の出力を高電圧系の第２のバッテリに振り分けて該第２のバッテリを充電する第２の充電系と、
前記発電機の出力電力の変化を抑制するように設定されたデューティを有するクロック信号に基づきスイッチングして、前記第２のバッテリに振り分けられるべき前記発電機の出力を断続させるスイッチ系と、
前記スイッチ系のスイッチングを制御するクロック信号のデューティを設定することにより、前記第２のバッテリの充電時の前記発電機の出力電力を制御して、前記第２のバッテリの充電時と前記第１のバッテリの充電時との前記発電機の入力トルクの変動を抑えるように制御する制御部と、
を備えたことを特徴とするバッテリ充電装置。
【請求項２】
前記第１の充電系として、
アノードが前記発電機の出力端子側に接続されると共にカソードが前記第１のバッテリの電極側に接続された第１の整流器と、
前記第１の整流器のカソードと前記第１のバッテリの電極との間に設けられ、前記第１のバッテリを充電すべきタイミングで導通状態とされると共に前記第２のバッテリを充電すべきタイミングで非導通状態とされる第１の電界効果トランジスタとを備え、
前記第２の充電系として、アノードが前記発電機の出力端子側に接続されると共にカソードが前記第２のバッテリの電極側に接続された第２の整流器を備え、
前記スイッチ系として、
前記発電機の出力端子と接地との間に設けられ、前記発電機の出力電力の変化を抑制するように設定されたデューティを有するクロック信号に基づきスイッチングして前記発電機の出力を断続させる第２の電界効果トランジスタを備えたことを特徴とする請求項１に記載されたバッテリ充電装置。
【請求項３】
前記第２の電界効果トランジスタは、
前記第１のバッテリの充電時には前記発電機の出力位相の変化に従って導通制御され、前記第２のバッテリの充電時には前記クロック信号に基づき導通制御されることを特徴とする請求項２に記載されたバッテリ充電装置。
【請求項４】
前記発電機は、多相交流を発生するものであって、前記第１及び第２の整流器並びに第１及び第２の電界効果トランジスタは、前記多相交流の各相ごとに設けられたことを特徴とする請求項２または３に記載されたバッテリ充電装置。
【発明の詳細な説明】
【０００１】
【発明の属する技術分野】
本発明は、例えばハイブリッド車に搭載される高電圧系のバッテリと低電圧系のバッテリとを充電するためのバッテリ充電装置に関する。
【０００２】
【従来の技術】
近年、環境保護や省エネルギーなどの観点から、エンジンと電気モータを組み合わせた動力システムを搭載するハイブリッド車が注目されている。このハイブリッド車では、加速時には電気モータによってエンジンの出力を補助し、減速時には減速回生によってバッテリ等への充電を行う等、様々な制御を行うことにより、エンジン出力の補助を効率よく行うようになっている。このハイブリッド車には、走行用の電気モータに電気エネルギーを供給するための高電圧系（例えば３６Ｖ）のバッテリと、各種補機類の電源を供給するための低電圧系（例えば１２Ｖ）のバッテリが搭載されており、これら電圧仕様が異なるバッテリの双方を充電するためのバッテリ充電装置が必要とされている。
【０００３】
以下、この種の従来技術に係るバッテリ充電装置について、後述する図１を援用して説明する。
なお、同図に示す電界効果トランジスタＱ４〜Ｑ６は、後述する本願発明に係るバッテリ充電装置の特徴の一部をなすものであって、以下に説明する従来装置では、この電界効果トランジスタに相当するものとして整流器（ダイオード）が用いられ、この整流器は、整流器Ｄ１〜Ｄ３または整流器Ｄ４〜Ｄ６と共に全波整流器を形成している。
【０００４】
同図において、発電機ＡＣＧの交流出力は、整流器Ｄ１〜Ｄ３と電界効果トランジスタＱ１〜Ｑ３からなる系（オープンレギュレータ）を介して低電圧系のバッテリＢＬに振り分けられると共に、整流器Ｄ４〜Ｄ６を介して高電圧系のバッテリＢＨに振り分けられる。この発電機ＡＣＧの交流出力の振り分けは、発電機ＡＣＧの交流出力（Ｕ相，Ｖ相，Ｗ相）の各位相に同期して、低電圧側の系に設けられた電界効果トランジスタＱ１〜Ｑ３の導通をそれぞれ制御することにより行われる。即ち、図４に示すように、例えば、発電機ＡＣＧが発生するＵ相の電圧が高くなる期間Ｐ１において、電界効果トランジスタＱ１がオンして導通状態となり、整流器Ｄ１及び電界効果トランジスタＱ１を介してＵ相の出力が低圧系のバッテリＢＬに供給される。
【０００５】
このとき、Ｕ相の電圧は、低電圧系のバッテリＢＬの端子電圧に引かれて低下するが、高電圧系側に設けられた整流器Ｄ４が逆バイアス状態とされるので、発電機の出力電圧が降下しても高電圧系のバッテリＢＨは放電されない。この後、期間Ｐ２においてＵ相の位相が反転して出力電圧が低下すると、整流器Ｄ１が逆バイアス状態となる。このとき、従来装置では、電界効果トランジスタＱ４に対応する図示しない整流器を介してバッテリＢＬの充電が行われる。
【０００６】
さらに、この後、Ｕ相の電圧が高くなる期間Ｐ３において、電界効果トランジスタＱ１がオフして非導通状態となる。これにより、低電圧系のバッテリＢＬに対する電力の供給が遮断され、発電機ＡＣＧから出力されるＵ相の電圧が上昇する。この結果、整流器Ｄ４が順バイアス状態とされ、この整流器Ｄ４を介して高電圧系のバッテリＢＨに発電機の出力電力が供給される。
同様に、他のＶ相およびＷ相の出力による充電動作が行われる。
【０００７】
このように、低電圧側の電界効果トランジスタＱ１〜Ｑ３を制御することにより、低電圧系と高電圧系とが相補的に充電され、１台の発電機を用いて双方のバッテリを充電することが可能となっている。
なお、発電機のどの位相の出力を低電圧系および高電圧系の何れの充電に振り分けるかについては、これらのバッテリの充電状態に応じて適宜決定される。
【０００８】
【発明が解決しようとする課題】
ところで、充電時に発電機の入力軸を回転駆動するために必要とされるトルク（以下、「入力トルク」と称す）は、発電機の出力電圧と出力電流とにより決定され、発電機の入力トルクと充電に費やされる電力との間には相関関係が存在する。即ち、発電機の出力電圧が一定であれば、充電電流が大きいほど、発電機の入力トルクが大きく、発電機の出力電流が一定であれば、充電電圧が大きいほど、発電機の入力トルクが大きくなる。この入力トルクに抗し得る回転力（例えばエンジンの回転出力）を外部から発電機の入力軸に与えることにより、電気エネルギーである電力が発生する。従って、理想的には、発電機の入力軸に与えられる回転力が一定であれば、出力電圧と出力電流とが出力電力を一定とするように決定されるべきである。
【０００９】
しかしながら、現実には、発電機に与えられる回転力が一定であっても、負荷の変動により出力電圧が変わると、発電機の特性上、出力電力を一定とするように出力電流が応答せず、出力電力も変化する傾向がある。このため、図４に示すように、低電圧側のバッテリを充電している期間Ｐ１と、高電圧側のバッテリを充電している期間Ｐ３とでは、入力トルクＴの大きさが異なり、発電機の出力を各バッテリに振り分ける際に入力トルクＴに変動が生じる。これにより、発電機の騒音や振動が発生し、静粛性や耐久性が阻害されることとなる。
【００１０】
この発明は、上記事情に鑑みてなされたもので、発電機の出力を高電圧系と低電圧系との各バッテリに振り分けることに伴う発電機の入力トルクの変動を有効に抑制することができ、この入力トルクの変動に起因する騒音や振動の発生を防止することが可能なバッテリ充電装置を提供することを目的とする。
【００１１】
【課題を解決するための手段】
上記課題を解決するため、この発明は以下の構成を有する。
すなわち、本発明は、交流電力を発生する発電機（例えば後述する発電機ＡＣＧに相当する構成要素）と、前記発電機の出力に同期したタイミングで該発電機の出力を低電圧系の第１のバッテリに振り分けて該第１のバッテリを充電する第１の充電系（例えば後述する整流器Ｄ１〜Ｄ３および電界効果トランジスタＱ１〜Ｑ３に相当する構成要素）と、前記発電機の出力に同期したタイミングであって前記第１のバッテリを充電するタイミングとは異なるタイミングで前記発電機の出力を高電圧系の第２のバッテリに振り分けて該第２のバッテリを充電する第２の充電系（例えば後述する整流器Ｄ４〜Ｄ６に相当する構成要素）と、前記発電機の出力電力の変化を抑制するように、前記第２のバッテリに振り分けられるべき前記発電機の出力を断続させるスイッチ系（例えば後述する電界効果トランジスタＱ４〜Ｑ６に相当する構成要素）と、を備えたことを特徴とする。
【００１２】
この構成によれば、スイッチ系により発電機の出力を断続させることにより、この発電機の出力電圧を高電圧系の第２のバッテリを充電可能な電圧に維持したまま、発電機の出力電力が変化する。従って、例えば断続の割合を適切に設定すれば、発電機の入力トルクを制御することができ、低電圧側のバッテリを充電している状態での入力トルクと、高電圧側のバッテリを充電している状態での入力トルクとを等しくすることができる。これにより、高電圧系のバッテリと低電圧系のバッテリとに発電機の出力を振り分ける際に発生する入力トルクの変動を有効に抑制し、この入力トルクの変動に起因する騒音や振動の発生を防止することが可能となる。なお、前記スイッチ系のスイッチング動作により、発電機の出力を昇圧するものとしてもよい。
【００１３】
また、上記バッテリ充電装置において、前記第１の充電系として、アノードが前記発電機の出力端子側に接続されると共にカソードが前記第１のバッテリの電極側に接続された第１の整流器（例えば後述する整流器Ｄ１〜Ｄ３に相当する構成要素）と、前記第１の整流器のカソードと前記第１のバッテリの電極との間に設けられ、前記第１のバッテリを充電すべきタイミングで導通状態とされると共に前記第２のバッテリを充電すべきタイミングで非導通状態とされる第１の電界効果トランジスタ（例えば後述する電界効果トランジスタＱ１〜Ｑ３に相当する構成要素）とを備え、前記第２の充電系として、アノードが前記発電機の出力端子側に接続されると共にカソードが前記第２のバッテリの電極側に接続された第２の整流器（例えば後述する整流器Ｄ４〜Ｄ６に相当する構成要素）を備え、前記スイッチ系として、前記発電機の出力端子と接地との間に設けられ、前記発電機の出力電力の変化を抑制するように設定されたデューティを有するクロック信号に基づきスイッチングして前記発電機の出力を断続させる第２の電界効果トランジスタ（例えば後述する電界効果トランジスタＱ４〜Ｑ６に相当する構成要素）を備えたことを特徴とする。
【００１４】
この構成によれば、第１の電界効果トランジスタがオンして導通状態になると、第１の整流器が順バイアス状態とされ、この第１の整流器を介して発電機の出力が低電圧系の第１のバッテリに振り分けられ、この第１のバッテリが充電される。これに対し、第１の電界効果トランジスタがオフして非導通状態となると、発電機の出力電圧が上昇する結果、第２の整流器が順バイアス状態とされ、この第２の整流器を介して発電機の出力が高電圧系の第２のバッテリに振り分けられ、この第２のバッテリが充電される。このとき、第２の電界効果トランジスタは、クロック信号に基づきスイッチングして、第２のバッテリに供給される発電機の出力を断続させる。これにより、この発電機の入力トルクの変動を抑制するように出力電力を調節する。
【００１５】
さらに、上記バッテリ充電装置において、前記第２の電界効果トランジスタは、前記第１のバッテリの充電時には前記発電機の出力の位相変化に従って導通制御され、前記第２のバッテリの充電時には前記クロック信号に基づき導通制御されることを特徴とする（例えば後述する制御部ＣＴＬの機能に相当する要素）。
この構成によれば、第１のバッテリの充電時には、第１の整流器と第２の電界効果トランジスタとが全波整流器を形成し、発電機の出力を全波整流して第１のバッテリに供給する。また、第２のバッテリの充電時には、第２の整流器と第２の電界効果トランジスタとが全波整流器を形成すると共に、第２の電界効果トランジスタが、発電機の出力電流を正弦波に近似させるためのスイッチ系として機能する。これにより、発電機の入力トルクの変動を抑えながら、低電圧系のバッテリと高電圧系のバッテリに発電機の出力を割り振ることが可能となる。
【００１６】
さらにまた、上記バッテリ充電装置において、前記発電機は、多相交流（例えば後述するＵ相、Ｖ相、Ｗ相の３相交流に相当する要素）を発生するものであって、前記第１及び第２の整流器並びに第１及び第２の電界効果トランジスタは、前記多相交流の各相ごとに設けられたことを特徴とする。
この構成によれば、発電機の出力の各相を、独立した充電経路を介してバッテリに供給する。従って、充電経路での干渉や各充電経路の電流密度を抑えることができ、充電動作を安定化させることが可能となる。
【００１７】
【発明の実施の形態】
以下、図面を参照しながら、本発明の実施の形態を説明する。
図１に、本発明の実施の形態に係るバッテリ充電装置の構成を示す。同図において、ＡＣＧは、３相交流（Ｕ相，Ｖ相，Ｗ相）を発生する発電機、ＬＦは発電機の界磁コイル、ＣＮＶは、発電機の交流出力を直流に変換して充電対象の低電圧系（例えば１２[Ｖ]）のバッテリＢＬおよび高電圧系（例えば４２[Ｖ]）のバッテリＢＨに振り分けるコンバータである。
【００１８】
また、コンバータＣＮＶにおいて、Ｄ１〜Ｄ３は、発電機ＡＣＧの交流出力を整流して低電圧側のバッテリＢＬに供給する整流器、Ｑ１〜Ｑ３は、発電機ＡＣＧの出力の振り分け先を制御する電界効果トランジスタ（ｎ型）であり、これら整流器Ｄ１〜Ｄ３および電界効果トランジスタＱ１〜Ｑ３は、低電圧系のバッテリＢＬを充電するための第１の充電系を構成する。
Ｄ４〜Ｄ６は、発電機ＡＣＧの交流出力を整流して高電圧側のバッテリＢＨに供給する整流器であり、高電圧系のバッテリＢＨを充電するための第２の充電系を構成する。
【００１９】
Ｑ４〜Ｑ６は、発電機ＡＣＧの出力電圧を昇圧するための電界効果トランジスタ（ｎ型）であって、この発電機の出力電圧を断続（チョッピング：chopping）するスイッチ系を構成する。この電界効果トランジスタＱ４〜Ｑ６は、上述の低電圧系側の整流器Ｄ１〜Ｄ３または高電圧系側の整流器Ｄ４〜Ｄ６と共に全波整流器を形成する。ＣＴＬは、電界効果トランジスタＱ１〜Ｑ６の導通を制御する制御部である。Ｄ７はダイオード、Ｑ７は電界効果トランジスタであり、これらは、制御部ＣＴＬの制御の下に界磁コイルＬＦに流れる電流量を調整するためのものである。
このように、充電経路をなす各整流器および各電界効果トランジスタは、発電機ＡＣＧが発生するＵ相，Ｖ相，Ｗ相の各相ごとに設けられている。
【００２０】
さらに具体的に、各構成要素の接続関係を説明する。
整流器Ｄ１〜Ｄ３のアノードは、発電機ＡＣＧの出力端子に接続される。電界効果トランジスタＱ１〜Ｑ３は、整流器Ｄ１〜Ｄ３のカソードとバッテリＢＬの正極との間に設けられ、バッテリＢＬを充電すべきタイミングで導通状態とされると共にバッテリＢＨを充電すべきタイミングで非導通状態とされる。整流器Ｄ４〜Ｄ６のアノードは、発電機ＡＣＧの出力端子に接続され、そのカソードはバッテリＢＨの正極に接続される。電界効果トランジスタＱ４〜Ｑ６は、発電機ＡＣＧの出力端子と接地との間に設けられる。この電界効果トランジスタＱ４〜Ｑ６は、制御部ＣＴＬからのクロック信号ＣＬＫに基づきスイッチングして発電機ＡＣＧの出力を断続させるものとして機能する。このクロック信号ＣＬＫのデューティは、出力の振り分けに伴う発電機ＡＣＧの出力電力の変化を抑制するように予め設定されている。
【００２１】
以下、図２を参照して、この実施の形態に係るバッテリ充電装置の動作を説明する。
なお、この実施の形態では、発電機ＡＣＧは、昇圧するまでもなく低電圧系のバッテリＢＬを充電可能な電圧を発生し得るものとする。また、この実施の形態に係るバッテリ充電装置の動作は、Ｕ相〜Ｗ相の各相について同様であるから、Ｕ相に着目して説明することとする。
【００２２】
まず、低電圧系のバッテリＢＬを充電する場合を説明する。
制御部ＣＴＬは、発電機ＡＣＧのＵ相〜Ｗ相について各位相を検出し、この位相に同期したタイミングに従って電界効果トランジスタＱ１〜Ｑ３の導通をそれぞれ制御する。具体的には、制御部ＣＴＬは、Ｕ相の電圧が高くなる期間Ｐ１の始点で電界効果トランジスタＱ１をオンさせる。電界効果トランジスタＱ１がオンすると、整流器Ｄ１を介して発電機ＡＣＧのＵ相の出力が低電圧系のバッテリＢＬの正極に供給される。これにより、発電機ＡＣＧの出力に同期したタイミングで、この発電機ＡＣＧの出力が低電圧系のバッテリＢＬに振り分けられ、このバッテリが充電される。
【００２３】
この後、期間Ｐ２において発電機のＵ相の位相が切り替わって電圧が低下すると、制御部ＣＴＬは、電界効果トランジスタＱ４をオンさせる。ここで、バッテリＢＬの負極と電界効果トランジスタＱ４のソースは共にグランドを介して接続されているから、発電機ＡＣＧは、全波整流器を形成する電界効果トランジスタＱ４を介してバッテリＢＬを充電する。このように、電界効果トランジスタＱ４を用いて全波整流器を形成し、このトランジスタの導通を発電機の出力の位相変化に従って制御することにより、整流器のみから構成される従来の全波整流器に比較して、電界効果トランジスタＱ４での電圧降下が小さい分だけ充電効率が改善される。
このように、電界効果トランジスタはＱ４は、低電圧系のバッテリＢＬの充電時には、発電機ＡＣＧの出力位相の変化に従って導通制御される。
【００２４】
次に、高電圧系のバッテリＢＨを充電する場合の動作を説明する。
制御部ＣＴＬは、発電機ＡＣＧのＵ相の電圧が高くなる期間Ｐ３の始点で電界効果トランジスタＱ１をオフさせると共に、電界効果トランジスタＱ４のゲートに後述する所定のデューティを有するクロック信号ＣＬＫを印加し、この電界効果トランジスタＱ４をスイッチング動作させる。これにより、発電機ＡＣＧの出力電圧が昇圧されて高電圧系のバッテリＢＨに供給され、このバッテリＢＨが充電される。
【００２５】
即ち、電界効果トランジスタＱ４がオンの期間、発電機ＡＣＧの電機子コイルに電流が流れ、この電機子コイルに電気エネルギーが蓄積される。この期間に蓄えられた電気エネルギーは、電界効果トランジスタＱ４がオフの期間に発電機ＡＣＧが新たに発生する電気エネルギーに重畳して放出され、発電機ＡＣＧの出力電圧が昇圧される。この結果、整流器Ｄ４が順バイアス状態とされ、この整流器Ｄ４を介して発電機ＡＣＧのＵ相の出力が高電圧系のバッテリＢＨの正極に供給される。このようにして、発電機ＡＣＧの出力に同期したタイミングであって上述の低電圧系のバッテリＢＬを充電するタイミングとは異なるタイミングで、発電機ＡＣＧの出力がバッテリＢＨの充電に振り分けられる。
【００２６】
また、スイッチング制御用のクロック信号ＣＬＫに基づき電界効果トランジスタＱ４がスイッチングすると、発電機ＡＣＧの出力電圧が断続し、いわゆるチョッピング(chopping)が行われる。このクロック信号ＣＬＫのデューティを調節することにより、後述するように、発電機ＡＣＧの出力電力を調節し、発電機ＡＣＧの入力トルクＴの変動を小さく抑えることができる。なお、この実施の形態では、クロック信号ＣＬＫのデューティとは、このクロック信号ＣＬＫの１サイクルにおいて、電界効果トランジスタＱ４（Ｑ５，Ｑ６）をオフ状態とするパルス幅が占める比率を意味するものとする。従って、このクロック信号ＣＬＫは、昇圧された発電機ＡＣＧの出力パルスのデューティを与える。この実施の形態では、クロック信号ＣＬＫのデューティと発電機ＡＣＧの出力のデューテイとは、同義語であるものとする。ただし、クロック信号ＣＬＫのデューティと発電機ＡＣＧの出力のデューテイとは同一である必要はなく、これらのデューティの間に一定の関係があれば足りる。
このように、高電圧系のバッテリＢＨの充電時には、電界効果トランジスタＱ４は、制御部ＣＴＬからのクロック信号ＣＬＫに基づき導通制御され、発電機ＡＣＧの出力電圧を昇圧すると共に、この発電機の入力トルクの変動を抑制するように機能する。
【００２７】
以下、図３を参照して、スイッチング制御用のクロック信号ＣＬＫのデューテイにより発電機ＡＣＧの入力トルクの変動が抑制される原理を説明する。
前述したように、発電機ＡＣＧの入力トルクはバッテリＢＬ，ＢＨの充電に要する電力に依存する。逆に言えば、高電圧系および低電圧系の充電に必要とされる電圧をそれぞれ確保することを条件に発電機ＡＣＧの出力電力（充電電力）の変化を小さく抑えることができれば、発電機の出力を振り分ける際の入力トルクの変動を小さくすることができ、しかも双方のバッテリの充電に対応することができる。
【００２８】
ここで、図３に示すように、高電圧系のバッテリＢＨを充電している状態での入力トルクＴは、電界効果トランジスタＱ４のスイッチングを制御するクロック信号ＣＬＫのデューティＤＲが大きくなるにつれて増加する傾向を示す。これに対し、低電圧系のバッテリＢＬを充電している状態では、クロック信号ＣＬＫによる電界効果トランジスタＱ４のスイッチングは行われないので、このときの入力トルクＴは、クロック信号ＣＬＫのデューティＤＲに依存せずに一定である。従って、高電圧系の充電時の特性線と低電圧系の充電時の特性線との交点Ａが存在し、この交点Ａでは、高電圧系の充電時と低電圧系の充電時とで入力トルクＴが等しくなる。
【００２９】
そこで、クロック信号ＣＬＫのデューティＤＲを上述の交点ＡでのデューティＤＲ（Ａ）に設定し、この状態で発電機ＡＣＧの出力電圧を断続させれば、高電圧系の充電時と低電圧系の充電時とで発電機ＡＣＧの出力電力が略等しくなり、従って入力トルクＴの差分ｄが小さくなる。よって、発電機ＡＣＧの出力を低電圧系のバッテリＢＬと高電圧系のバッテリＢＨとに振り分ける際に発生する入力トルクＴの変動が抑制され、この入力トルクＴの変動に起因する発電機の振動や騒音の発生が防止されることとなる。このように、電界効果トランジスタＱ４は、発電機ＡＣＧの出力電力（即ち発電機の入力トルク）の変動を抑制するように、バッテリＢＨに振り分けられるべき発電機ＡＣＧの出力を断続させる。
【００３０】
上述のＵ相と同様に、Ｖ相およびＷ相によるバッテリの充電が行われる。この場合、整流器Ｄ２，Ｄ３は上述の整流器Ｄ１と同様に機能し、電界効果トランジスタＱ２，Ｑ３は上述の電界効果トランジスタＱ１と同様に機能する。また、整流器Ｄ５，Ｄ６は上述の整流器Ｄ４と同様に機能し、電界効果トランジスタＱ５，Ｑ６は上述の電界効果トランジスタＱ４と同様に機能する。
【００３１】
上述のように、発電機ＡＣＧの入力トルクの変動を抑制しながら、低電圧系のバッテリＢＬと高電圧系のバッテリＢＨに対して発電機ＡＣＧの出力が振り分けられる一方、発電機ＡＣＧの発電量そのものは、各バッテリの充電状態に応じて界磁コイルＬＦを流れる界磁電流により制御される。すなわち、充電対象のバッテリが満充電状態であれば、充電電力を必要としないため、制御部ＣＴＬは、電界効果トランジスタＱ７のスイッチングを制御して界磁電流を減少させ、発電量を抑制する。逆に未充電状態であれば、制御部ＣＴＬは界磁電流を増加させ、発電量を増やす。このように、この実施の形態に係るバッテリ充電装置によれば、入力トルクの変動を抑制しながら、各バッテリの充電状態に応じて発電機ＡＣＧの発電量が適切に制御される。従って、入力トルクの変動に起因する振動や騒音の発生を抑制しながら、効率よく各バッテリを充電することが可能となる。
【００３２】
以上、この発明の実施の形態を説明したが、この発明は、この実施の形態に限られるものではなく、この発明の要旨を逸脱しない範囲の設計変更等があっても本発明に含まれる。例えば、上述の実施の形態では、昇圧用の電界効果トランジスタＱ４〜Ｑ６をスイッチングさせることにより、発電機ＡＣＧの出力電力を調節するものとしたが、発電機ＡＣＧの出力電圧を昇圧する必要がなければ、発電機ＡＣＧの出力端子と高電圧系のバッテリＢＨの電極との間に、整流器Ｄ４〜Ｄ６と直列に電界効果トランジスタＱ４〜Ｑ６を接続してもよい。この場合、トランジスタＱ４〜Ｑ６をスイッチングさせることによりバッテリに供給される充電電力が断続的に抑制されて発電機ＡＣＧの入力トルクが調整される。
【００３３】
また、上述の実施の形態では、電界効果トランジスタＱ１〜Ｑ３を設けたが、これに限定されることなく、整流器Ｄ１〜Ｄ３のカソードを共通に接続し、この共通に接続されたカソードとバッテリＢＬとの間に、電界効果トランジスタＱ１〜Ｑ３に対応する一つの電界効果トランジスタを設けるものとしてもよい。
さらに、上述の実施の形態では、整流器Ｄ４〜Ｄ６を介して発電機ＡＣＧの出力を高電圧系のバッテリＢＨに供給するものとしたが、これに限定されることなく、整流器Ｄ４〜Ｄ６に代えて、電界効果トランジスタＱ１〜Ｑ３に対して相補的に導通制御される電界効果トランジスタを採用してもよい。
さらにまた、上述の実施の形態では、電界効果トランジスタＱ１〜Ｑ６としてｎ型電界効果トランジスタを用いたが、これに限定されることなく、ｐ型電界効果トランジスタを用いて構成することも可能である。
なお、本発明は、発電機ＡＣＧの出力の何れのサイクルを低電圧系および高電圧系の何れの充電に振り分けるかについては、特に限定されるものではなく、このバッテリ充電装置が適用されるシステムに応じて適宜取り決めればよい。
【００３４】
【発明の効果】
以上説明したように、この発明によれば、以下の効果を得ることができる。
即ち、高電圧系の充電時と低電圧系の充電時とで、発電機の出力電力の変化を抑制するように、高電圧系のバッテリに振り分けられるべき前記発電機の出力を断続させるようにしたので、発電機の出力を高電圧系と低電圧系との各バッテリに振り分けることに伴う発電機の入力トルクの変動を有効に抑制することができる。従って、入力トルクの変動に起因する騒音や振動の発生を防止することが可能となる。また、発電機の騒音や振動の発生が防止されるので、この発電機の静粛性や耐久性が向上する。
【００３５】
また、上記バッテリ充電装置において、前記第１の充電系として、発電機の出力端子側と第１のバッテリの電極側との間に接続された第１の整流器と、第１の整流器のカソードと前記第１のバッテリの電極との間に設けられた第１の電界効果トランジスタとを備え、前記第２の充電系として、前記発電機の出力端子側と第２のバッテリの電極側との間に接続された第２の整流器を備え、前記スイッチ系として、発電機の出力端子と接地との間に設けられてスイッチングする第２の電界効果トランジスタを備えたので、第２のバッテリに供給される発電機の出力を断続させ、この発電機の入力トルクの変動を抑制するように、その出力電力を調節することが可能となる。
【００３６】
さらに、上記バッテリ充電装置において、前記第２の電界効果トランジスタは、第１のバッテリの充電時には発電機の出力の位相変化に従って導通し、第２のバッテリの充電時にはクロック信号に基づき導通するようにしたので、発電機の入力トルクの変動を抑えながら、低電圧系のバッテリと高電圧系のバッテリに発電機の出力を割り振ることが可能となる。
【００３７】
さらにまた、上記バッテリ充電装置において、前記発電機は、多相交流（例えば後述するＵ相、Ｖ相、Ｗ相の３相交流に相当する要素）を発生するものであって、前記第１及び第２の整流器並びに第１及び第２の電界効果トランジスタを、前記多相交流の各相ごとに設けたので、発電機の出力の各相を、独立した充電経路を介してバッテリに供給することができる。従って、充電経路での干渉や各充電経路の電流密度を抑え、充電動作を安定化させることが可能となる。
【図面の簡単な説明】
【図１】  この発明の実施の形態にかかるバッテリ充電装置の構成を示すブロック図である。
【図２】  この発明の実施の形態にかかるバッテリ充電装置の動作を説明するための波形図である。
【図３】  この発明の実施の形態にかかるバッテリ充電装置の動作原理を説明するための特性図である。
【図４】  従来技術にかかるバッテリ充電装置の動作を説明するための波形図である。
【符号の説明】
ＡＣＧ：発電機
ＢＨ：高電圧系のバッテリ
ＢＬ：低電圧系のバッテリ
ＣＴＬ：制御部
ＣＮＶ：コンバータ
Ｄ１〜Ｄ７：整流器
ＬＦ：界磁コイル
Ｑ１〜Ｑ７：電界効果トランジスタ（ｎ型）
【図１】
0004306945.tif 000002
【図２】
0004306945.tif 000003
【図３】
0004306945.tif 000004
【図４】
0004306945.tif 000005